(57)【要約】      （修正有）【課題】燃料タンク内部の金属不純物を減少させ、且つ燃料タンク内部に過量の不純物が沈積しているかどうか確定することで燃料タンクのクリーニングを行うかどうか決定する、燃料タンククリーニングボールを提供する。【解決手段】燃料タンク内部の油液に起因する鉄粉、錆、或いは他の金属を含む微細な或いは粉末状の不純物をクリーニングするために用い、且つこれにより燃料タンク内部の不純物の蓄積程度を測るために用いている。燃料タンククリーニングボール１は、非磁性の磁力線を通す材料で構成し、外面１１は凹凸状を呈し、燃料タンク内部の鉄粉、錆、或いは他の金属を含む微細な或いは粉末状の不純物を吸着するための広い表面積を提供している被覆体１０と、前記被覆体を固定するために前記被覆体内に被覆されている磁性金属２０と、を備えている。【選択図】図１
0003233603.tif 000002
【実用新案登録請求の範囲】
【請求項１】
燃料タンク内部の油液に起因する鉄粉、錆、或いは他の金属を含む微細な或いは粉末状の不純物のクリーニングに用い、且つこれにより燃料タンク内部の不純物の蓄積程度を測るために用いている燃料タンククリーニングボールであって、
非磁性の磁力線を通す材料で構成される被覆体であって、前記被覆体は外面は凹凸状を呈し、燃料タンク内部の鉄粉、錆、或いは他の金属を含む微細な或いは粉末状の不純物を吸着するための広い表面積を提供することと、
前記被覆体を固定するために前記被覆体内に被覆されている磁性金属と、を備え、
前記磁性金属の磁力吸引範囲は前記被覆体付近に限られ、前記燃料タンククリーニングボールが他の金属物品に粘着せず、
使用時には、前記燃料タンククリーニングボールを燃料タンク中に投入し、燃料タンクの底部に沈め、燃料タンク内部の鉄粉、錆、或いは他の金属を含む微細な或いは粉末状の不純物を吸着することを特徴とする燃料タンククリーニングボール。
【請求項２】
一端を前記被覆体に固定している線をさらに備え、使用時には前記線が燃料タンク開口部の外部に露出し、ユーザーは前記線を使用して前記燃料タンククリーニングボールを引っ張ることで前記燃料タンクから離し、前記燃料タンククリーニングボールに対する洗浄を行うことを特徴とする請求項１に記載の燃料タンククリーニングボール。
【請求項３】
前記被覆体の材料としてゴムまたはプラスチックから選択していることを特徴とする請求項１または２に記載の燃料タンククリーニングボール。
【請求項４】
前記被覆体は２つのシート体であり、前記２つのシート体の中央部には対応する凹部を形成し、結合時には前記磁性金属を前記凹部に内設し、前記２つのシート体の対向する面には対応する形態を形成し、両者を結合した際に密封形態を形成することを特徴とする請求項１または２に記載の燃料タンククリーニングボール。
【請求項５】
組み立て時には、前記２つのシート体はネジまたはボルトを用いて結合、粘着、係合することで互いに組み合わせるように固定していることを特徴とする請求項４に記載の燃料タンククリーニングボール。
【請求項６】
組み立て時には、前記２つのシート体に少なくとも１つのネジを貫通させることで前記２つのシート体を一体形態に統合することを特徴とする請求項４に記載の燃料タンククリーニングボール。
【請求項７】
各前記シート体の外面には広い結合面積を提供するように複数の丸型ボスを形成していることを特徴とする請求項４に記載の燃料タンククリーニングボール。
【請求項８】
各前記シート体の外面には広い結合面積を提供するように複数のスクエア型ボスを形成していることを特徴とする請求項４に記載の燃料タンククリーニングボール。
【請求項９】
複数の燃料タンククリーニングボールを連結することで燃料タンククリーニングボールセットを形成していることを特徴とする請求項２に記載の燃料タンククリーニングボール。
【考案の詳細な説明】
【技術分野】
【０００１】
本考案は、燃料タンク洗浄装置に関し、更に詳しくは、燃料タンククリーニングボールに関する。
【背景技術】
【０００２】
一般的なガソリンの製造、輸送、保管過程では異なる様々な治具を使用し、異なる様々な容器に填装する。これらの治具及び容器は一般的には金属材質で構成されており、長期間使用すると内面に鉄粉、錆、或いは他の金属を含む微細な或いは粉末状の不純物が発生した。
【考案の概要】
【考案が解決しようとする課題】
【０００３】
しかしながら、これらの不純物はガソリンと共に車両の燃料タンク中に進入し、且つ燃料タンクの底部に沈殿する。これらの不純物は時間が経つほど燃料タンクポンプの周辺に蓄積し、燃料タンクポンプを徐々に詰まらせて動作不能にすることもあった。これにより、ガソリンが燃料タンクからエンジンに流入しなくなり、動力を提供できなくなった。
【０００４】
上述の状況では、ドライバーが運転中に車両にガソリンが供給されなくなって突然走行不能に陥った。これが一般道やひいては高速道路で発生すると、交通全体が混乱した。
【０００５】
また、通常車両はメンテナンスの際に、燃料タンク内部に過量の金属が沈積していないか検視し、燃料タンクに対するクリーニングとメンテナンスを行う。主に燃料タンク内部に過量の金属が沈積しているかどうか確定するために燃料タンクを開けなければならず、作業全体が煩雑になった。
【０００６】
そこで、本考案者は上記の欠点が改善可能と考え、すなわち、燃料タンク内部の金属不純物を減少させ、且つ燃料タンク内部に過量の不純物が沈積しているかどうか確定することで燃料タンクのクリーニングを行うかどうか決定する。
【０００７】
本考案は、以上の従来技術の課題を解決する為になされたものである。即ち、本考案の目的は、燃料タンククリーニングボールを提供する。
【課題を解決するための手段】
【０００８】
上記課題を解決するために、本考案のある態様の燃料タンククリーニングボールは、燃料タンク内部の油液に起因する鉄粉、錆、或いは他の金属を含む微細な或いは粉末状の不純物のクリーニングに用い、且つこれにより燃料タンク内部の不純物の蓄積程度を測るために用い、
非磁性の磁力線を通す材料で構成される被覆体であって、前記被覆体は外面は凹凸状を呈し、燃料タンク内部の鉄粉、錆、或いは他の金属を含む微細な或いは粉末状の不純物を吸着するための広い表面積を提供することと、
前記被覆体を固定するために前記被覆体内に被覆されている磁性金属と、を備え、前記磁性金属の磁力吸引範囲は前記被覆体付近に限られ、前記燃料タンククリーニングボールが他の金属物品に粘着せず、使用時には、前記燃料タンククリーニングボールを燃料タンク中に投入し、燃料タンクの底部に沈め、燃料タンク内部の鉄粉、錆、或いは他の金属を含む微細な或いは粉末状の不純物を吸着する。
【考案の効果】
【０００９】
本考案によれば、一方では簡易な方式で燃料タンク内部の鉄粉、錆、或いは他の金属を含む微細な或いは粉末状の不純物のクリーニングを行い、他方では前記燃料タンククリーニングボールを検視することで燃料タンク内部に過量の不純物が沈積しているかどうか確定に、燃料タンクに対するクリーニングを行うかどうか決定する。これにより、ドライバーに大きな利便性をもたらし、道路上で車両をレッカー移動しなければならない状態に陥らないように、燃料タンクポンプが突然動作不能になることを予防している。よって、本考案が提供する利点は従来の技術では達成不可能である。
【００１０】
本考案の他の特徴については、本明細書及び添付図面の記載により明らかにする。
【図面の簡単な説明】
【００１１】
【図１】本考案の一実施形態に係る燃料タンククリーニングボールの組立概略図である。
【図２】本考案の二つのシ−ト体からなる被覆体の部材を示す分解概略図である。
【図３】図２の部材を示す組立概略図である。
【図４】本考案の二つのシ−ト体からなる他の被覆体の部材を示す分解概略図である。
【図５】図４の部材を示す組立概略図である。
【図６】本考案の応用を示す概略図である。
【図７】本考案の他の実施形態の応用を示す概略図である。
【考案を実施するための形態】
【００１２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１３】
以下、本考案の実施形態を図１〜７に基づいて説明する。本考案の燃料タンククリーニングボール１は、下述の部材を備えている。
（被覆体１０）
【００１４】
非磁性の磁力線を通す材料で構成し、例えば、ゴム、プラスチック等の材料で製造している。図１を参照すれば、前記被覆体１０の外面１１は凹凸状を呈し、例えば鉄粉、錆、或いは他の金属を含む微細な或いは粉末状の不純物２００を吸着するための広い表面積を提供している。
（磁性金属２０）
【００１５】
前記被覆体１０を固定するために前記被覆体１０内に被覆されている。好ましくは、前記磁性金属２０の磁力を適度に調整し、磁力吸引範囲を前記被覆体１０付近に限定し、前記燃料タンククリーニングボール１が他の金属物品に粘着しないようにしている。例えば、本考案が作用するのは燃料タンク１００内部である。
（線３０）
【００１６】
一端が前記被覆体１０に固定している。本考案の使用時には、前記燃料タンククリーニングボール１を燃料タンク１００中に投入し、燃料タンク１００の底部に沈める（図６参照）。前記磁性金属２０が燃料タンク１００内部の鉄粉、錆、及び他の金属を含む微細な或いは粉末状の不純物２００を吸着し、これらの不純物が燃料タンク１００のポンプ１１０中に侵入し、前記ポンプ１１０を詰まらせて動作不能にすることを防ぐ。前記被覆体１０に連結している前記線３０は燃料タンク１００の開口部１２０の外部に露出し、ユーザーは前記線３０を使用して前記燃料タンククリーニングボール１を引っ張って前記燃料タンク１００から離し、前記燃料タンククリーニングボール１を洗浄する。次いで、前記燃料タンククリーニングボール１の粉末量を観察して過量の不純物が燃料タンク１００の底部に沈殿しているかどうか判断し、燃料タンク１００を洗浄するかどうか決定する。
【００１７】
また、図２乃至図５に示されるように、前記被覆体１０は２つのシート体４０であり、前記２つのシート体４０の中央部には対応する凹部４１を形成している。結合時には前記磁性金属２０を前記凹部４１に内設する。前記２つのシート体４０の対向する面には対応する形態を形成し、両者を結合する際に密封形態を形成する。
【００１８】
組み立て時には、前記磁性金属２０を前記凹部４１に内設し、２つのシート体４０を組み合わせるように固定する。従来の様々な技術を使用して前記２つのシート体４０を固定するが、これらの技術は本考案の範囲内に含まれる。前記固定方式はネジやボルトを用いて結合、粘着、係合する等の方式である。図３及び図５に示されるように、２つのネジ５０を使用して前記２つのシート体４０の左右両側をそれぞれ貫通し、前記２つのシート体４０を一体形態に統合している。前記磁性金属２０は前記凹部４１に内設している。被覆体１０の材料が非磁性の磁力線を通す材料であるため、前記磁性金属２０の磁性が前記被覆体１０を貫通し、燃料タンク１００内部に浮遊している鉄粉、錆、或いは他の金属を含む微細な或いは粉末状の不純物２００を吸着する。
【００１９】
本考案の各前記シート体４０の外面１１には凹凸状を呈している形態を形成し、例えば鉄粉、錆、或いは他の金属を含む微細な或いは粉末状の不純物２００を吸着するための広い表面積を提供している。本例の各前記シート体４０の外面１１には広い結合面積を提供するように複数の丸型ボス６１（図２と図３参照）または複数のスクエア型ボス６２（図４と図５参照）を形成している。
【００２０】
図７に示される本考案の他の実施例では、複数の燃料タンククリーニングボール１を互いに連結し、燃料タンククリーニングボールセット５を形成している。図７には４つの燃料タンククリーニングボール１が互いに直列連結している応用概略図を示し、全ての燃料タンククリーニングボール１は同じ線３０を共用している。複数の燃料タンククリーニングボール１で構成している燃料タンククリーニングボールセット５は、より広い表面積を提供し、使用時にはさらに多くの鉄粉、錆、或いは他の金属を含む微細な或いは粉末状の不純物２００を１回で吸着可能にし、全体的な不純物２００の収集効率を高めている。
【００２１】
上述の応用例では、各前記燃料タンククリーニングボール１の間は異なる様々な方式で相互に連結し、あらゆる連結方式が全て本考案の範囲内に含まれる。例えば、前記線３０を各前記燃料タンククリーニングボール１に連結する等である。
【００２２】
本考案の利点は、一方では簡易な方式で燃料タンク内部の不純物のクリーニングを行い、他方では前記燃料タンククリーニングボールを検視することで燃料タンク内部に過量の不純物が沈積しているかどうか確認し、燃料タンクのクリーニングを行うかどうか確定する。また、燃料タンクポンプが突然動作不能になることを予防し、道路で車両をレッカー移動しなければならない状況を回避する。よって、本考案が提供する利点は、従来の技術では達成不可能である。
【００２３】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２４】
１  燃料タンククリーニングボール
５  燃料タンククリーニングボールセット
１０  被覆体
１１  外面
２０  磁性金属
３０  線
４０  シート体
４１  凹部
５０  ネジ
６１  丸型ボス
６２  スクエア型ボス
１００  燃料タンク
１１０  ポンプ
１２０  開口部
２００  不純物
【図１】
0003233603.tif 000003
【図２】
0003233603.tif 000004
【図３】
0003233603.tif 000005
【図４】
0003233603.tif 000006
【図５】
0003233603.tif 000007
【図６】
0003233603.tif 000008
【図７】
0003233603.tif 000009